(57)【要約】【課題】電子カメラがグループ化を行うことにより、コンテンツデータをより容易に管理できるようすることができる電子カメラ及びデータ処理システムを提供することである。【解決手段】本電子カメラ１０は、撮影した画像を自動的にグループ化するためのグループ撮影部を有している。このグループ撮影部は、ＣＰＵ１１及び撮像部１２により構成されるもので、グループ情報が記録されているグループ情報記録媒体からグループ情報を読み取り、このグループ情報を基にグループを作成する。そして、前記グループ情報の取得後、グループ情報読み取りモードを解除して通常撮影モードに変更する。また、グループ作成後、撮影した被写体画像を当該グループに登録する。【選択図】      図１
2010074309.tif 000002
【特許請求の範囲】
【請求項１】
撮影した被写体画像を記録媒体に記録する電子カメラであって、
撮影した画像を自動的にグループ化するためのグループ撮影手段を有し、
前記グループ撮影手段は、
グループ化を行うためのグループ情報が記録されているグループ情報記録媒体からグループ情報を読み取るために、撮影モードをグループ情報読み取りモードにするグループ情報読み取りモード設定手段と、
前記グループ情報記録媒体からグループ情報を取得するグループ情報取得手段と、
前記グループ情報を基にグループを作成するグループ作成手段と、
前記グループ情報の取得後、前記グループ情報読み取りモードを解除し、通常撮影モードに変更するグループ情報読み取りモード解除手段と、
グループ作成後、撮影した被写体画像を当該グループに登録する被写体画像グループ登録手段と、
を有することを特徴とする電子カメラ。
【請求項２】
前記グループ情報は、前記グループ情報記録媒体にバーコードで記録されていることを特徴とする請求項１に記載の電子カメラ。
【請求項３】
前記グループ情報読み取りモード設定手段は、前記グループ情報読み取りモード設定の際、焦点距離設定を接写モードに設定することを特徴とする請求項１若しくは２に記載の電子カメラ。
【請求項４】
撮影した被写体画像を記録媒体に記録するもので、該被写体画像を自動的にグループ化する電子カメラと、
前記電子カメラと通信線を介して接続可能なデータ蓄積装置と、
を備えたデータ処理システムに於いて、
前記電子カメラは、
グループ化を行うためのグループ情報が記録されているグループ情報記録媒体からグループ情報を読み取るために、撮影モードをグループ情報読み取りモードにするグループ情報読み取りモード設定手段と、
前記グループ情報記録媒体からグループ情報を取得するグループ情報取得手段と、
前記グループ情報を基にグループを作成するグループ作成手段と、
前記グループ情報の取得後、前記グループ情報読み取りモードを解除し、通常撮影モードに変更するグループ情報読み取りモード解除手段と、
グループ作成後、撮影した被写体画像を当該グループに登録する被写体画像グループ登録手段と、
を有し、
前記データ蓄積装置は、
前記通信線を介して、前記記録媒体に記録されている画像データの授受を行う通信インタフェースと、
前記通信インタフェースを介して入力された前記画像データをデータ記録媒体に記録するためのデータ記録手段と、
を有する
ことを特徴とするデータ処理システム。
【請求項５】
前記グループ情報は、前記グループ情報記録媒体にバーコードで記録されていることを特徴とする請求項４に記載のデータ処理システム。
【請求項６】
前記グループ情報読み取りモード設定手段は、前記グループ情報読み取りモード設定の際、焦点距離設定を接写モードに設定することを特徴とする請求項４若しくは５に記載のデータ処理システム。
【発明の詳細な説明】
【技術分野】
【０００１】
本発明は、撮影した被写体画像をグループ化する電子カメラ及びデータ処理システムに関するものである。
【背景技術】
【０００２】
一般的に、電子カメラで撮影された画像は、当該電子カメラに着脱可能な記録媒体（フラッシュメモリ等）に記録される。この記録媒体は、書換え可能で繰り返し使用することができる。更に、半導体技術の進歩により記録媒体の記録容量が大きくなったため、撮影画像枚数は、フィルムカメラよりも飛躍的に増加している。また、これらの画像は、パーソナルコンピュータを介し、より大容量のハードディスク／ＣＤ／ＤＶＤ等のデータ蓄積装置に記録、蓄積される。しかしながら、大量の画像の中から、所望の画像の検索、閲覧を行うのは困難である。
【０００３】
こうした大量の画像に対して、従来は、パーソナルコンピュータ上の画像管理ソフトウェアを用いて、画像にキーワードやカテゴリ名を関連付けてグループ化を行っている。また、画像の検索を行う場合は、当該キーワードやカテゴリ名によりグループの絞り込みを行って、所望の画像の検索を容易にしている。
【０００４】
更に、下記特許文献１に記載のカメラでは、キーワードやカテゴリ名の関連付けを、簡単な電子カメラの操作で行うことにより、パーソナルコンピュータ上での煩わしいグループ化の操作を解消している。
【特許文献１】特開２０００−３４１３６３号公報
【発明の開示】
【発明が解決しようとする課題】
【０００５】
しかしながら、後日パーソナルコンピュータ上でグループ化操作を行う場合、撮影した時点の記憶をたどりながら作業しなくてはならず、ユーザにとってわずらわしい作業となる。
【０００６】
したがって本発明は前記実情に鑑みてなされたものであり、その目的は、電子カメラがグループ化を行うことにより、コンテンツデータをより容易に管理できるようすることができる電子カメラ及びデータ処理システムを提供することである。
【課題を解決するための手段】
【０００７】
すなわち本発明は、撮影した被写体画像を記録媒体に記録する電子カメラであって、撮影した画像を自動的にグループ化するためのグループ撮影手段を有し、前記グループ撮影手段は、グループ化を行うためのグループ情報が記録されているグループ情報記録媒体からグループ情報を読み取るために、撮影モードをグループ情報読み取りモードにするグループ情報読み取りモード設定手段と、前記グループ情報記録媒体からグループ情報を取得するグループ情報取得手段と、前記グループ情報を基にグループを作成するグループ作成手段と、前記グループ情報の取得後、前記グループ情報読み取りモードを解除し、通常撮影モードに変更するグループ情報読み取りモード解除手段と、グループ作成後、撮影した被写体画像を当該グループに登録する被写体画像グループ登録手段と、を有することを特徴とする。
【０００８】
また本発明は、撮影した被写体画像を記録媒体に記録するもので、該被写体画像を自動的にグループ化する電子カメラと、前記電子カメラと通信線を介して接続可能なデータ蓄積装置と、を備えたデータ処理システムに於いて、前記電子カメラは、グループ化を行うためのグループ情報が記録されているグループ情報記録媒体からグループ情報を読み取るために、撮影モードをグループ情報読み取りモードにするグループ情報読み取りモード設定手段と、前記グループ情報記録媒体からグループ情報を取得するグループ情報取得手段と、前記グループ情報を基にグループを作成するグループ作成手段と、前記グループ情報の取得後、前記グループ情報読み取りモードを解除し、通常撮影モードに変更するグループ情報読み取りモード解除手段と、グループ作成後、撮影した被写体画像を当該グループに登録する被写体画像グループ登録手段と、を有し、前記データ蓄積装置は、前記通信線を介して、前記記録媒体に記録されている画像データの授受を行う通信インタフェースと、前記通信インタフェースを介して入力された前記画像データをデータ記録媒体に記録するためのデータ記録手段と、を有することを特徴とする。
【発明の効果】
【０００９】
本発明によれば、電子カメラがグループ化を行うことにより、撮影した被写体画像をより容易に管理することができる電子カメラ及びデータ処理システムを提供することができる。
【発明を実施するための最良の形態】
【００１０】
以下、図面を参照して、本発明の実施形態を説明する。
【００１１】
図１は、本発明の一実施形態に係る電子カメラで撮影した画像データを処理するデータ処理システムの構成を示したブロック図である。
【００１２】
図１に於いて、本データ処理システム１は、電子カメラ１０と、この電子カメラ１０と通信線３０で接続されるデータ蓄積装置２０と、を有して構成される。
【００１３】
前記電子カメラ１０は、ＣＰＵ１１と、撮像部１２と、記録媒体インタフェース１３と、操作部１４と、表示部１５と、通信インタフェース１６と、フラッシュメモリ１７とを有して構成されるもので、前記各部はバスを介して接続されている。
【００１４】
ＣＰＵ１１は、前記フラッシュメモリ１７に記録されている制御プログラムを読み出して実行することにより、当該電子カメラ１０の各部の動作を統括的に制御するためのものである。また、このＣＰＵ１１は、グループ情報読み取りモード設定手段、グループ情報取得手段、グループ作成手段、グループ情報読み取りモード解除手段、被写体画像グループ登録手段の機能を有している。
【００１５】
前記撮像部１２は、図示されない被写体を撮影して撮像信号を生成すると共に、種々の画像処理を行って画像データを作成する。また、撮像部１２はＣＰＵ１１と共に、撮影した画像を自動的にグループ化するためのグループ撮影手段を構成する。更に撮像部１２は、グループ情報取得手段を構成するものであり、図示されないＣＣＤ等を有しており、後述するバーコードよりグループ情報を取得するようになっている。
【００１６】
記録媒体インタフェース１３は、撮像部１２により作成された画像データを、記録媒体１８に記録するためのインタフェースである。記録媒体１８には、電子カメラ１０に着脱可能なフラッシュメモリや、電子カメラ１０に固定されたハードディスク等が用いられる。
【００１７】
操作部１４は、電子カメラ１０の動作に関する指示を入カするためのもので、操作スイッチ等を備えて構成される。表示部１５は、記録媒体インタフェース１３を介して記録媒体１８から読み出された画像データ、或いはユーザインタフェース画面等を表示する。更に、通信インタフェース１６は、通信線３０を介して、後述するデータ蓄積装置２０との間で撮影画像等のデータ授受を行うインタフェースである。通信線３０とは、広く情報の送受信に用いられる経路のことで、有線通信に限らず無線通信も含まれる。
【００１８】
一方、データ蓄積装置２０は、ＣＰＵ２１と、通信インタフェース２２と、データ記録媒体インタフェース２３と、操作部２４と、表示部２５と、フラッシュメモリ２６と、を有して構成されるもので、前記各部はバスを介して接続されている。
【００１９】
ＣＰＵ２１は、フラッシュメモリ２６に記録されている制御プログラムを読み出して実行する。この制御プログラムにより、データ蓄積装置２０の各部の動作を統括的に制御する。通信インタフェース２２は、通信線３０を介して、電子カメラ１０との間で授受された撮影画像等のデータ授受を行う。
【００２０】
データ記録媒体インタフェース２３は、通信インタフェース２２を介して入力された撮影画像等データを、当該インタフェースに接続されているデータ記録媒体２７に記録するためのものである。データ記録媒体２７には、データ蓄積装置２０に着脱可能なフラッシュメモリや、ＣＤ／ＤＶＤディスクや、データ蓄積装置２０に固定されたハードディスク等が用いられる。
【００２１】
操作部２４は、データ蓄積装置２０の動作に関する指示を入力するための、キーボードやマウス、スイッチ等により構成される。表示部２５は、データ記録媒体インタフェース２３を介してデータ記録媒体２７から読み出された画像データ、或いはユーザインタフェース画面等を表示する。
【００２２】
本実施形態に於けるデータ蓄積装置２０の最良の形態は、パーソナルコンピュータであるが、これに限られるものではない。例えば、パーソナルコンピュータのような豊富な操作部２４や表示部２５を有さない、データ記録に特化したポータブルストレージであっても、電子カメラ１０との間でデータ授受を行うための通信インタフェース２２、授受したデータをデータ記録媒体２７に記録するためのデータ記録媒体インタフェース２３、及びデータ蓄積装置２０の各部の動作を統括的に制御するＣＰＵ２１を有する構成であれば、代替可能である。
【００２３】
次に、前述した電子カメラ１０の動作について説明する。
【００２４】
図２（ａ）及び（ｂ）は、記録媒体１８に記録されているデータ構造を示す図であり、電子カメラ用ファイルシステムであるＤＣＦに準拠している。
【００２５】
図２（ａ）は、画像３枚（Ｐ１０１０００１．ＪＰＧ、Ｐ１０１０００２．ＪＰＧ、Ｐ１０１０００３．ＪＰＧ）が記録されており、グループは未作成の状態を示している。
【００２６】
図２（ａ）に示されるような状態で、ユーザが、電子カメラ１０の表示部１５の画面表示に従い、操作部１４を操作、或いは図示されていないが操作部１４に設けられたグループ情報作成釦により、グループ作成指示を出す。すると、電子カメラ１０の撮影モードはグループ情報読み取りモードとなり、グループ情報取得手段としてのグループ情報取得部が起動する。図３はバーコードの一種であるＱＲコードで、英数字データだけではなく漢字データも記録することが可能であり、これらの文字データをグループ情報として記録している。ここで、グループ情報取得手段とは、図３に示されるようなグループ情報が記録されているバーコードを読み取る手段であり、撮像部１２によって図３に示されるようなバーコードを撮影し、撮影された画像を元にバーコードの「セル」と呼ばれるマス目のパターン解析を行い文字データへの変換を行う。また、グループ情報読み取りモードでは、焦点距離等の設定を前記バーコードの読み取りがしやすいように、通常撮影モードから接写（マクロ）モードと同等に設定される。
【００２７】
電子カメラ１０は、前記グループ情報取得部により、図３に示されるバーコードを読み取る。図３に示されるバーコードには「Ｓａｎ  Ｆｒａｎｃｉｓｃｏ」というグループ情報が記録されている。電子カメラ１０は、前記グループ情報をグループタイトルとして新規にグループ管理データを作成し、記録媒体インタフェース１３を介して、記録媒体１８に前記グループ管理データを記録する。
【００２８】
図２（ｂ）は、新規グループ管理データ（ＧＲＰ０００１．ＸＭＬ）が記録された記録媒体１８のデータ構造を示した図である。
【００２９】
図４（ａ）は、グループ管理データ（ＧＲＰ０００１．ＸＭＬ）の内容を示した図である。グループ管理データ（ＧＲＰ０００１．ＸＭＬ）は、ＸＭＬ（ｅＸｔｅｎｓｉｂｌｅ  Ｍａｒｋｕｐ  Ｌａｎｇｕａｇｅ）で記述されている。
【００３０】
図４（ａ）のｕｕｉｄ要素の値（７４５ｆｃ４８１−７８ｄ４−８ａ４５−５６３２−ｆ２ａ８７５ａｆａｄ６９）はグループ毎に唯一無二のグループ識別子であり、ＩＥＴＦ（Ｉｎｔｅｒｎｅｔ  Ｅｎｇｉｎｅｅｒｉｎｇ  Ｔａｓｋ  Ｆｏｒｃｅ）により技術仕様公開されているＲＦＣ４１２２記載のＵＵＩＤ（Ｕｎｉｖｅｒｓａｌｌｙ  Ｕｎｉｑｕｅ  ＩＤｅｎｔｉｆｉｅｒ）である。尚、本唯一無二のグループ識別子に際しては、メーカ名、製品名、シリアル番号、日付、時刻を用いて生成した識別子を使用してもよい。例えば、メーカ名が“ＳｏｍｅＣｏｍｏｐａｎｙ”、製品名が“ＳｏｍｅＰｒｏｄｕｃｔ”、シリアル番号が“０１２３４５６７８９”、日時が２００６年１月１日０時０分０秒の場合の識別子は、“ＳｏｍｅＣｏｍｏｐａｎｙ−ＳｏｍｅＰｒｏｄｕｃｔ−０１２３４５６７８９−２００６０１０１０００”となる。
【００３１】
図４（ａ）のｔｉｔｌｅ要素の値（Ｓａｎ  Ｆｒａｎｃｉｓｃｏ）は、当該グループを示すグループタイトル（キーワード・カテゴリ名）であり、バーコードに記録されたグループ情報である。ｃｏｎｔｅｎｔＬｉｓｔ要素の値には、当該グループに分類された画像の情報が記述されるが、図４（ａ）のグループ管理データには画像が分類されていないため、図４（ａ）ｃｏｎｔｅｎｔＬｉｓｔ要素の値は空白である。
【００３２】
電子カメラ１０は、バーコードからグループ情報を取得してグループを作成した後、グループ情報読み取りモード（接写モード）を解除し、通常撮影モードに切り替える。これ以降、撮影が行われた場合、撮影された画像を前記グループへの分類をするために、記録媒体１８に記録されている当該グループに対応するグループ管理データ（ＧＲＰ０００１．ＸＭＬ）に当該画像の情報を追記する。
【００３３】
図４（ｂ）は、画像情報が追記されたグループ管理データ（ＧＲＰ０００１．ＸＭＬ）を示した図である。図４（ｂ）のｕｕｉｄ要素の値とｔｉｔｌｅ要素の値は、図４（ａ）と同じ値である。
【００３４】
図４（ｂ）のｃｏｎｔｅｎｔＬｉｓｔ要素の値は、グループに分類された画像情報のリストである。ｃｏｎｔｅｎｔＬｉｓｔ要素の子要素ｉｍａｇｅは、当該グループに分類された画像の情報である。ｉｍａｇｅ要素のｉｄ属性は、当該画像を識別する画像識別子であり、ｃｏｎｔｅｎｔＬｉｓｔ要素内でユニークな値である。
【００３５】
ｉｍａｇｅ要素の子要素ｕｒｌの値（．．／ＤＣＩＭ／１００ＡＢＣＤＥ／Ｐ１０１０００１．ＪＰＧ等）は、当該画像の記録媒体１８上の記録位置を示している。また、画像情報として、記録媒体１８上の記録位置だけでなく、撮影日時、撮影場所等も記録してもよい。
【００３６】
尚、本実施形態では、ｃｏｎｔｅｎｔＬｉｓｔ要素の子要素はｉｍａｇｅ（画像）だけであるが、ｖｉｄｅｏ（動画）、ａｕｄｉｏ（音声・楽曲）等を用いることも可能である。
【００３７】
前述した実施形態のグループ作成では、バーコードの読み取りによりグループ作成を行っているが、ユーザが電子カメラ１０の表示部１５の画面表示に従って操作部１４を操作し、グループ作成指示を行ったり、また、後述する方法により、電子カメラ１０がグループ作成することも可能である。
【００３８】
次に、本実施形態のデータ処理システム１に於いて、自動的にグループ作成及び画像分類を行う方法について説明する。
【００３９】
電子カメラ１０内には、種々の情報を有している。例えば、図示されていないが内蔵時計を備えていれば日時情報、ＧＰＳ機能を備えていれば位置情報（緯度、経度、標高）等である。これらの情報は、刻一刻と更新されている。本実施形態では、これらの情報が一定の範囲を超えて更新された場合、新規にグループ作成が行われる。
【００４０】
日時情報の場合、例えば、２００６年５月から２００６年６月へと月情報が更新されたときに、新規グループ「２００６年６月」が作成される。それ以降、次に月情報が更新されるまで、撮影された画像が当該グループに分類されることにより、自動的に月毎の画像のグループ化が可能となる。
【００４１】
また、位置情報の場合、例えば、東京都内を示す位置情報から、神奈川県内を示す位置情報へ、都道府県を示す位置情報が更新されたときに、新規グループ「神奈川」が作成される。それ以降、次に都道府県を示す位置情報が更新されるまで、撮影された画像が当該グループに分類されることにより、自動的に撮影場所（都道府県）毎の画像のグループ化が可能となる。
【００４２】
また、電子カメラ１０がユーザ情報（撮影者名、環境設定等）を持っていて、且つ、使用するユーザが替わる度にユーザ情報を切り替えることが可能な場合、ユーザ情報が切り替わった時に新規グループが作成される。それ以降、ユーザ情報が切り替わるまで撮影された画像が、当該グループに分類されることにより、自動的にユーザ毎のグループ化が可能となる。
【００４３】
更に、記録媒体１８に記録される画像全てが１つのグループとして扱われることにより、銀塩カメラでいうフィルム単位でのグループ化が可能となる。この場合の新規グループの作成の条件は、記録媒体１８にグループ管理データが存在しない場合や、記録媒体１８のフォーマット後等である。また、逆に記録媒体１８にグループ管理データが存在しない場合や、記録媒体１８のフオーマット後も、これまでと同一のグループ識別子に対応付けられた新規グループが作成されることにより、これまでと同一のグループに画像分類することも可能である。
【００４４】
次に、本発明の一実施形態であるデータ蓄積装置の動作について、データ記録方法と合わせて説明する。
【００４５】
電子カメラ１０が通信線３０によりデータ蓄積装置２０に接続されると、データ蓄積装置２０では、電子カメラ１０が接続されたことが検出され、フラッシュメモリ２６に記録されている本実施形態のデータ蓄積プログラムが開始される。データ蓄積プログラムは、電子カメラ１０の検出後、自動的に開始、或いはユーザにより操作部２４が操作されて開始指示されることにより、電子カメラ１０の記録媒体１８に記録されている画像データが、データ蓄積装置２０のデータ記録媒体２７に対して記録される。
【００４６】
ここで、データ蓄積プログラムについて説明する。
【００４７】
図５は、データ蓄積プログラムの動作を説明するためのフローチャートである。
【００４８】
データ蓄積プログラムによって処理が開始されると、先ず、ステップＳ１に於いて、電子カメラ１０の記録媒体１８にグループ管理データが記録されているか否かが判定される。ここで、グループ管理データが記録されていると判定されたならばステップＳ２に移行し、そうでない場合は後述するステップＳ５に移行する。
【００４９】
ステップＳ２に於いては、当該のグループ管理データからグループ識別子が取得され、当該グルーフ職別子に対応付けられたグループが、データ蓄積装置２０のデータ記録媒体２７に既に記録されているか否かが判定される。そして、当該グループ識別子に対応付けられたグループが記録されていないと判定されたならば、ステップＳ３に移行して、新規にグループ管理データが作成されて、当該グループ識別子が対応付けられる。続いて、ステップＳ４にて、当該グループ識別子が対応付けられているグループ管理データに、記録される画像の画像情報が追記される。
【００５０】
また、前記ステップＳ２にて、当該グループ識別子に対応付けられたグループが既に記録されていると判定された場合は、新規にグループ作成は行われず、当該グループ識別子が対応付けられている既存のグループ管理データに、記録される画像の画像情報が追記される。
【００５１】
その後、ステップＳ５にて、画像データがデータ蓄積装置２０のデータ記録媒体２７に記録される。
【００５２】
次に、前述したデータ蓄積プログラムに従った動作例について説明する。
【００５３】
図６は、電子カメラ１０の記録媒体１８に記録されているデータ構造を示したもので、ＤＣＦに準拠して記録された図である。また、図７（ａ）及び（ｂ）は、このときのグループ管理データ（ＧＲＰ０００１．ＸＭＬ及びＧＲＰ０００２．ＸＭＬ）の内容を示した図である。更に、図８は、データ蓄積プログラム開始前の、データ蓄積装置２０のデータ記録媒体２７に記録されているデータ構造を示したもので、ＩＭＡＧＥフォルダ以下のフォルダ（“０６０６１２１５０１３０”）には画像データが記録され、ＧＲＯＵＰ＿ＤＡＴフォルダにはグループ管理データが記録された図である。図９は、このときのグループ管理データ（ＧＲＰ０００１．ＸＭＬ）の内容を示した図である。
【００５４】
前述した前提に於いて、データ蓄積プログラムにより、電子カメラ１０の記録媒体１８が検索されて、グループ管理データ（ＧＲＰ０００１．ＸＭＬ及びＧＲＰ０００２．ＸＭＬ）が記録されていると判定される（ステップＳ１）。次に、ＧＲＰ０００１．ＸＭＬから、グループ識別子（ｕｕｉｄ：７４５ｆｃ４８１−７８ｄ４−８ａ４５−５６３２−ｆ２ａ８７５ａｆａｄ６９）が取得される。
【００５５】
取得されたグループ識別子に対応付けられたグループは、データ蓄積装置２０のデータ記録媒体２７に記録されているか否かが解析される。ここでは、ＧＲＰ０００１．ＸＭＬ（図９参照）に対応付けられたグループ識別子（ｕｕｉｄ：７４５ｆｃ４８１−７８ｄ４−８ａ４５−５６３２−ｆ２ａ８７５ａｆａｄ６９）と、当該グループ識別子が一致しているため、当該グループ識別子に対応付けられたグループが既に記録されていると判定される（ステップＳ２）。
【００５６】
そして、当該グループ管理データ（ＧＲＰ０００１．ＸＭＬ）に、記録される画像の画像情報が追記される（ステップＳ４）。Ｐ１０１０００１．ＪＰＧは、既にデータ蓄積装置２０のデータ記録媒体２７に記録されているため、追記される画像情報はＰ１０１０００２．ＪＰＧの画像情報である。図１０（ａ）は、データ蓄積装置２０のデータ記録媒体２７に記録されるグループ管理データ（ＧＲＰ０００１．ＸＭＬ）の内容を示した図である。
【００５７】
続いて、実際の画像データ（Ｐ１０１０００２．ＪＰＧ）が、データ蓄積装置２０のデータ記録媒体２７に記録される（ステップＳ５）。ＪＰＧは、既に記録済みのため、重複してデータ記録は行われない。
【００５８】
グループ管理データ（ＧＲＰ０００１．ＸＭＬ）に関するデータ記録が終了すると、ＧＲＰ０００２．ＸＭＬが解析されて、グループ識別子（ａａ６３９８ｅｆ−２６４７−ｂ４６７−１２８ａ−７７１９ｂａ０７ｆ４１６）が取得される。取得されたグループ識別子に対応付けられたグループは、データ蓄積装置２０のデータ記録媒体２７に記録されているか否かが解析される。しかしながら、当該グルーフ職別子と一致するグループ識別子が存在しないため、当該グループ識別子に対応付けられたグループが記録されていないと判定され（ステップＳ２）、新規グループ管理データ（ＧＲＰ０００２．ＸＭＬ）が作成されて、当該グループ識別子（ａａ６３９８ｅｆ−２６４７−ｂ４６７−１２８ａ−７７１９ｂａ０７ｆ４１６）が対応付けられる（ステップＳ３）。
【００５９】
次に、当該グループ管理データ（ＧＲＰ０００２．ＸＭＬ）に、記録される画像の画像情報が追記される（ステップＳ４）。ここで追記される画像情報は、Ｐ１０１０００１．ＪＰＧ、及びＰ１０１０００３．ＪＰＧの画像情報である。図１０（ｂ）は、データ蓄積装置２０のデータ記録媒体２７に記録されるグループ管理データ（ＧＲＰ０００２．ＸＭＬ）の内容を示した図である。
【００６０】
続いて、実際の画像データを記録するためのフォルダである“０６０６１２１０４５００”フォルダが、ＩＭＡＧＥフォルダの下に作成される。ＩＭＡＧＥフォルダの下のフォルダは、本データ蓄積プログラムによるデータ記録が行われる毎に、ＩＭＡＧＥフォルダ内で各々唯一無二のフォルダ名となるよう作成される。
【００６１】
次に、当該画像データ（Ｐ１０１０００３．ＪＰＧ）が、データ蓄積装置２０のデータ記録媒体２７の前記フォルダに記録される（ステップＳ５）。Ｐ１０１０００１．ＪＰＧは、既に記録済みのため重複してデータ記録は行われない。
【００６２】
図１１は、前述したデータ記録が終了したときの、データ蓄積装置２０のデータ記録媒体２７のデータ構造を示した図である。
【００６３】
本実施形態のデータ記録方法によれば、唯一無二のグループ識別子を使用してグループを識別しているため、同一のキーワード、カテゴリ名を使用して画像をグループ化しても、異なるグループの画像として扱うことができる。
【００６４】
以上、本発明のデータ処理装置、データ蓄積装置、データ処理システム、データ処理プログラム、及びデータ蓄積プログラムについて詳細に説明したが、本発明は前述した実施形態に限定されず、本発明の要旨を逸脱しない範囲に於いて、各種の改良及び変更を行っても良いのはもちろんである。
【００６５】
更に、前述した実施形態には種々の段階の発明が含まれており、開示される複数の構成要件の適当な組合せにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００６６】
【図１】本発明の一実施形態に係る電子カメラで撮影した画像データを処理するデータ処理システムの構成を示したブロック図である。
【図２】記録媒体１８に記録されているデータ構造を示すもので、（ａ）は画像３枚（Ｐ１０１０００１．ＪＰＧ、Ｐ１０１０００２．ＪＰＧ、Ｐ１０１０００３．ＪＰＧ）が記録されておりグループは未作成の状態を示した図、（ｂ）は新規グループ管理データ（ＧＲＰ０００１．ＸＭＬ）が記録された記録媒体１８のデータ構造を示した図である。
【図３】バーコードの一種であるＱＲコードの例を示した図である。
【図４】（ａ）はグループ管理データ（ＧＲＰ０００１．ＸＭＬ）の内容を示した図、（ｂ）は画像情報が追記されたグループ管理データ（ＧＲＰ０００１．ＸＭＬ）を示した図である。
【図５】データ蓄積プログラムの動作を説明するためのフローチャートである。
【図６】電子カメラ１０の記録媒体１８に記録されているデータ構造を示したもので、ＤＣＦに準拠して記録された図である。
【図７】グループ管理データ（ＧＲＰ０００１．ＸＭＬ及びＧＲＰ０００２．ＸＭＬ）の内容を示した図である。
【図８】データ蓄積プログラム開始前の、データ蓄積装置２０のデータ記録媒体２７に記録されているデータ構造を示した図である。
【図９】グループ管理データ（（ＧＲＰ０００１．ＸＭＬ）の内容を示した図である。
【図１０】（ａ）はデータ蓄積装置２０のデータ記録媒体２７に記録されるグループ管理データ（ＧＲＰ０００１．ＸＭＬ）の内容を示した図、（ｂ）はデータ蓄積装置２０のデータ記録媒体２７に記録されるグループ管理データ（ＧＲＰ０００２．ＸＭＬ）の内容を示した図である。
【図１１】データ記録が終了したときの、データ蓄積装置２０のデータ記録媒体２７のデータ構造を示した図である。
【符号の説明】
【００６７】
１…データ処理システム、１０…電子カメラ、１１、２１…ＣＰＵ、１２…撮像部、１３…記録媒体インタフェース、１４、２４…操作部、１５、２５…表示部、１６、２２…通信インタフェース、１７、２６…フラッシュメモリ、１８…記録媒体、２０…データ蓄積装置、２３…データ記録媒体インタフェース、２７…データ記録媒体、３０…通信線。
【図１】
2010074309.tif 000003
【図２】
2010074309.tif 000004
【図３】
2010074309.tif 000005
【図４】
2010074309.tif 000006
【図５】
2010074309.tif 000007
【図６】
2010074309.tif 000008
【図７】
2010074309.tif 000009
【図８】
2010074309.tif 000010
【図９】
2010074309.tif 000011
【図１０】
2010074309.tif 000012
【図１１】
2010074309.tif 000013